(57)【特許請求の範囲】
【請求項１】
配管の内部を流れる流体の流速と前記配管の表面の温度分布との関係を示す関係情報を求める関係情報設定方法であって、
前記配管の表面の所定部分で熱交換を行う熱交換工程と、
前記配管を流れる流体のうち、前記配管の表面の所定部分で行われる熱交換による熱の伝達に寄与する流体の量的割合を示す温度境界係数であって、前記配管と前記流体との接触部分における温度差を算出するための係数である温度境界係数の値を取得する温度境界係数値取得工程と、
前記温度境界係数値取得工程で取得した温度境界係数の値に基づいて前記関係情報を求める関係情報設定工程と、
を含む関係情報設定方法。
【請求項２】
前記温度境界係数値取得工程では、前記流体の流速毎に前記温度境界係数の値を取得する、
請求項１に記載の関係情報設定方法。
【請求項３】
前記所定部分で熱交換が行われた前記配管の管軸方向における前記配管の表面の温度分布を計測する温度計測工程と、
前記流体の流速を計測する流速計測工程と、
を含み、
前記温度境界係数値取得工程では、前記温度計測工程で計測した前記温度分布、及び、前記流速計測工程で計測した流速に基づいて前記温度境界係数の値を設定する、
請求項１または請求項２に記載の関係情報設定方法。
【請求項４】
配管の内部を流れる流体の流速が計測対象の流速となっている状態で、前記配管の表面の所定部分で熱交換を行う流速計測時熱交換工程と、
前記流速計測時熱交換工程にて前記所定部分で熱交換が行われた前記配管の管軸方向における前記表面の温度分布を計測する流速計測時温度分布計測工程と、
前記流速計測時温度分布計測工程で計測した前記温度分布、及び、請求項１から３のいずれか一項に記載の関係情報設定方法にて得られた関係情報に基づいて、前記配管の内部を流れる前記流体の流速を求める流速取得工程と
を含む流速計測方法。
【請求項５】
配管の内部を流れる流体の流速と前記配管の表面の温度分布との関係を示す関係情報を求める関係情報設定システムであって、
前記配管の表面の所定部分で熱交換を行う熱交換器と、
前記配管を流れる流体のうち、前記配管の表面の所定部分で行われる熱交換による熱の伝達に寄与する流体の量的割合を示す温度境界係数であって、前記配管と前記流体との接触部分における温度差を算出するための係数である温度境界係数の値を取得する温度境界係数値取得部と、
前記温度境界係数値取得部が取得した温度境界係数の値に基づいて前記関係情報を求める関係情報設定部と、
を備える関係情報設定システム。
【請求項６】
前記温度境界係数値取得部は、前記流体の流速毎に前記温度境界係数の値を取得する、  請求項５に記載の関係情報設定システム。
【請求項７】
前記所定部分で熱交換が行われた前記配管の管軸方向における前記配管の表面の温度分布を計測する温度計測部と、
前記流体の流速を計測する流速計測部と、
を備え、
前記温度境界係数値取得部は、前記温度計測部が計測した前記温度分布、及び、前記流速計測部が計測した流速に基づいて前記温度境界係数の値を設定する、
請求項５または請求項６に記載の関係情報設定システム。
【請求項８】
請求項５または請求項６に記載の関係情報設定システムと、
前記関係情報設定部が設定した関係情報を記憶する記憶部と、
配管の内部を流れる流体の流速が計測対象の流速となっている状態で、前記配管の表面の所定部分で熱交換を行う熱交換器と、
前記所定部分で熱交換が行われた前記配管の管軸方向における前記配管の表面の温度分布を計測する温度計測部と、
前記温度計測部が計測した温度分布、及び、前記記憶部が記憶している関係情報に基づいて、前記流体の流速を算出する流速算出部と、
を備える流速計測システム。
【発明の詳細な説明】
【技術分野】
【０００１】
本発明は、関係情報設定方法、流速計測方法、関係情報設定システム及び流速計測システムに関する。
【背景技術】
【０００２】
特許文献１では、配管内を流れる流体の流速計測方法が開示されている。この流速計測方法では、配管の表面の所定部分で熱交換を行い、当該配管の管軸方向における温度分布を計測し、計測した温度分布に基づいて、配管の内部を流れる流体の流速を求める。
【先行技術文献】
【特許文献】
【０００３】
【特許文献１】特開２０１５−１４８５０８号公報
【発明の概要】
【発明が解決しようとする課題】
【０００４】
配管の温度分布から配管の内部を流れる流体の流速を求める方法として、温度分布と流速との関係を予め求めておき、得られた関係を用いて温度分布を流速に換算する方法が考えられる。この方法では、流速を精度良く求めるために、温度分布と流速との関係を精度良く求めておくことが好ましい。
【０００５】
本発明は、配管の温度分布と配管の内部を流れる流体の流速との関係を精度良く求めることができる関係情報設定方法、流速計測方法、関係情報設定システム及び流速計測システムを提供する。
【課題を解決するための手段】
【０００６】
本発明の第１の態様によれば、関係情報設定方法は、配管の内部を流れる流体の流速と前記配管の表面の温度分布との関係を示す関係情報を求める関係情報設定方法であって、前記配管の表面の所定部分で熱交換を行う熱交換工程と、前記配管を流れる流体のうち、前記配管の表面の所定部分で行われる熱交換による熱の伝達に寄与する流体の量的割合を示す温度境界係数であって、前記配管と前記流体との接触部分における温度差を算出するための係数である温度境界係数の値を取得する温度境界係数値取得工程と、前記温度境界係数値取得工程で取得した温度境界係数の値に基づいて前記関係情報を求める関係情報設定工程と、を含む。
【０００７】
前記温度境界係数値取得工程では、前記流体の流速毎に前記温度境界係数の値を取得する、ようにしてもよい。
【０００８】
前記所定部分で熱交換が行われた前記配管の管軸方向における前記配管の表面の温度分布を計測する温度計測工程と、前記流体の流速を計測する流速計測工程と、を含み、前記温度境界係数値取得工程では、前記温度計測工程で計測した前記温度分布、及び、前記流速計測工程で計測した流速に基づいて前記温度境界係数の値を設定する、ようにしてもよい。
【０００９】
本発明の第２の態様によれば、流速計測方法は、配管の内部を流れる流体の流速が計測対象の流速となっている状態で、前記配管の表面の所定部分で熱交換を行う流速計測時熱交換工程と、前記流速計測時熱交換工程にて前記所定部分で熱交換が行われた前記配管の管軸方向における前記表面の温度分布を計測する流速計測時温度分布計測工程と、前記流速計測時温度分布計測工程で計測した前記温度分布、及び、前記したいずれかの関係情報設定方法にて得られた関係情報に基づいて、前記配管の内部を流れる前記流体の流速を求める流速取得工程とを含む。
【００１０】
本発明の第３の態様によれば、関係情報設定システムは、配管の内部を流れる流体の流速と前記配管の表面の温度分布との関係を示す関係情報を求める関係情報設定システムであって、前記配管の表面の所定部分で熱交換を行う熱交換器と、前記配管を流れる流体のうち、前記配管の表面の所定部分で行われる熱交換による熱の伝達に寄与する流体の量的割合を示す温度境界係数であって、前記配管と前記流体との接触部分における温度差を算出するための係数である温度境界係数の値を取得する温度境界係数値取得部と、前記温度境界係数値取得部が取得した温度境界係数の値に基づいて前記関係情報を求める関係情報設定部と、を備える。
【００１１】
前記温度境界係数値取得部は、前記流体の流速毎に前記温度境界係数の値を取得する、ようにしてもよい。
【００１２】
前記所定部分で熱交換が行われた前記配管の管軸方向における前記配管の表面の温度分布を計測する温度計測部と、前記流体の流速を計測する流速計測部と、を備え、前記温度境界係数値取得部は、前記温度計測部が計測した前記温度分布、及び、前記流速計測部が計測した流速に基づいて前記温度境界係数の値を設定する、ようにしてもよい。
【００１３】
本発明の第４の態様によれば、流速計測システムは、前記したいずれかの関係情報設定システムと、前記関係情報設定部が設定した関係情報を記憶する記憶部と、配管の内部を流れる流体の流速が計測対象の流速となっている状態で、前記配管の表面の所定部分で熱交換を行う熱交換器と、前記所定部分で熱交換が行われた前記配管の管軸方向における前記配管の表面の温度分布を計測する温度計測部と、前記温度計測部が計測した温度分布、及び、前記記憶部が記憶している関係情報に基づいて、前記流体の流速を算出する流速算出部と、を備える。
【発明の効果】
【００１４】
上記した関係情報設定方法、流速計測方法、関係情報設定システム及び流速計測システムによれば、配管の温度分布と配管の内部を流れる流体の流速との関係を精度良く求めることができる。
【図面の簡単な説明】
【００１５】
【図１】本実施形態に係る流速計測システムの概略構成を示す図。
【図２】流速計測システムの要部構成を示す図。
【図３】制御ユニット４を示す模式図。
【図４】配管１０の領域のセルへの分割例を示す説明図。
【図５】熱伝達率修正係数の設定例を示すグラフ。
【図６】温度境界係数の設定例を示す説明図。
【図７】温度境界係数の設定例を示すグラフ。
【図８】本実施形態に係る関係情報設定システムの概略構成を示す図。
【図９】熱伝達率修正係数の値と温度境界係数の値とを設定する前の、配管における温度分布の実測値及び解析値の例を示すグラフ。
【図１０】熱伝達率修正係数の値と温度境界係数の値とを設定した後の、配管における温度分布の実測値及び解析値の例を示すグラフ。
【発明を実施するための形態】
【００１６】
以下、本発明の実施形態を説明するが、以下の実施形態は特許請求の範囲にかかる発明を限定するものではない。また、実施形態の中で説明されている特徴の組み合わせの全てが発明の解決手段に必須であるとは限らない。
本実施形態に係る流速計測システムは、例えば、ボイラーなどの蒸気製造装置と負荷設備との間に配設される配管内を流れる流体（例えば、蒸気）の流速を計測可能なシステムである。
【００１７】
図１は、本実施形態に係る流速計測システムの概略構成を示す図である。図２は、流速計測システムの要部構成を示す図である。
本実施形態に係る流速計測システム１００は、図１に示すように、加熱部（熱交換器）２と、プレヒーター２ｂと、温度計測部３と、制御ユニット（流速算出部）４と、を含む。図１において、配管１０は、蒸気製造装置２０（ボイラーなど）と負荷設備３０との間に配設されている。蒸気製造装置２０からの蒸気が配管１０を流れ、負荷設備３０に送られる。負荷設備３０において、蒸気又は蒸気の熱が利用される。負荷設備３０から排出された蒸気はドレンとして回収され、還水槽（不図示）に集約された後、蒸気製造装置２０に再度給水される。また、配管１０の周りには断熱材が巻かれている。
【００１８】
加熱部２は、配管１０の表面１０ａと熱交換することで所定部分を加熱するためのものである。本実施形態において、加熱部２は、例えば、リング状のヒーターから構成されており、図２に示すように、配管１０の表面１０ａの所定位置において周方向に亘って配置される。これにより、加熱部２は、配管１０の所定部分（該加熱部２の設置部分１１）において、該配管１０の表面１０ａを均一に加熱する。加熱部２は、制御ユニット４に電気的に接続されており、その動作が制御される。
なお、ここでいう熱交換器は、温度の高い物体から温度の低い物体へ熱を移動させるものである。ヒーターは、熱交換器の例に該当する。
なお、図２において、矢印Ｂ１１は、流体が配管１０内を流れる向きの例を示している。
【００１９】
プレヒーター２ｂは、配管１０内を流れる流体を加熱する。このプレヒーター２ｂは、配管１０内を流れる気体の流体の液化を防止するために設けられている。例えば、配管１０内を流れる流体が蒸気である場合に、プレヒーター２ｂが当該蒸気を加熱することで、当該蒸気が液化して配管１０内や負荷設備３０内に水滴が付着することを防止する。
【００２０】
温度センサー群３Ａは、配管１０における表面１０ａの加熱部２の設置部分１１の両側（上流側及び下流側）に配置されている。各温度センサー群３Ａは、上記設置部分１１からの距離に応じて設置位置が決定される。例えば、設置部分１１の上流側を例に挙げると、各温度センサー群３Ａは、設置部分１１の端面からの距離が０ｍｍ（ミリメートル）、６ｍｍ、１４ｍｍ、２４ｍｍ、３６ｍｍ、５０ｍｍ、６６ｍｍ、８４ｍｍ、１０４ｍｍ、１２６ｍｍ、１５０ｍｍ、１７６ｍｍに設置されている。ここで、設置部分１１の端面からの距離が０ｍｍとは、温度センサー群３Ａが加熱部２の端面に沿って配置されることを意味する。なお、図２では、配管１０の断面構造として、設置部分１１の下流側端面の近傍（Ａ−Ａ矢視による断面）と、設置部分１１の下流側端面からの距離２４ｍｍ近傍（Ｂ−Ｂ矢視による断面）とを図示した。
【００２１】
図２に示されるように、温度センサー群３Ａは、設置部分１１から離間するに従って、隣接する温度センサー群３Ａ間の距離が２ｍｍずつ大きくなるように配置されている。したがって、温度センサー群３Ａは、設置部分１１（加熱部２）に近い程、センサーが密集して配置されたものとなっている。これにより、設置部分１１の近傍において配管１０の表面１０ａの温度を精度良く検出することが可能とされている。
【００２２】
温度計測部３は、複数（本実施形態では、例えば、１２個）の温度センサー群３Ａから構成される。各温度センサー群３Ａは、配管１０の表面１０ａにおいて、該配管１０の管軸方向に沿って配置される。各温度センサー群３Ａは、それぞれ配管１０の表面１０ａの温度を計測する温度センサー３ａを複数含む。本実施形態において、各温度センサー群３Ａは４つの温度センサー３ａから構成される。４つの温度センサー３ａは、配管１０の表面１０ａにおいて、周方向に均等に配置されている。すなわち、４つの温度センサー３ａは、配管１０の周方向において、９０度ずつ位置を違えるように配置されている。各温度センサー群３Ａは、４つの温度センサー３ａが計測した値の平均値を計測値として出力する。このように温度センサー群３Ａは、配管１０の表面１０ａにおける複数個所を計測した値の平均を計測値とすることで信頼性の高い計測結果（温度）を出力可能である。
【００２３】
なお、各温度センサー群３Ａを構成する温度センサー３ａの数は、図２に示す４つに限らず１つ以上であればよい。例えば、各温度センサー群３Ａが、２つの温度センサー３ａから構成され、２つの温度センサー３ａが、配管１０の周方向に左右均等に（配管１０の周方向において１８０度位置を違えるように）配置されていてもよい。上記のように、各温度センサー群３Ａが複数の温度センサー３ａを備え、配管１０の表面１０ａにおける複数個所を計測した値の平均を計測値とすることで信頼性の高い計測結果（温度）を出力可能である。
【００２４】
上述した構成に基づき、温度計測部３は、各温度センサー群３Ａの計測結果から配管１０の管軸方向における表面１０ａの温度分布を計測することが可能である。温度計測部３が計測した温度分布は、制御ユニット４に送信される。
【００２５】
配管１０は、表面１０ａの少なくとも一部が保温材１２により覆われている。本実施形態において、保温材１２は、配管１０の表面に設けられた加熱部２及び温度計測部３（各温度センサー３ａ）を覆うように管軸方向に亘って設置されている。
【００２６】
図３は、制御ユニット４を示す模式図である。図３において、計算装置５０は、例えばコンピュータシステムである。制御ユニット４は、計算装置５０に加え、入力装置６０、及び表示装置（出力装置）６４を有する。計算装置５０は、Ａ／Ｄ変換器等の変換器６１、ＣＰＵ（演算処理手段）６２、及びメモリ６３等を有する。流速計測システム１００の温度計測部３から送られる計測データ（温度分布）が、必要に応じて変換器６１等で変換され、ＣＰＵ６２に取り込まれる。また、初期設定値、及び仮データなどが入力装置６０などを介して計算装置５０に取り込まれる。表示装置６４は、入力されたデータに関する情報、及び計算に関する情報などを表示することができる。
【００２７】
ＣＰＵ６２は、計測データ、及びメモリ６３に記憶された情報に基づき、配管１０の内部を流れる蒸気の流速を算出することができる。ＣＰＵ６２は、例えば、温度計測部３の計測結果（配管１０の表面１０ａにおける温度分布）を用い、メモリ６３に記憶された情報から配管１０の内部を流れる蒸気の流速を算出する。制御ユニット４は、流速算出部の例に該当する。
具体的には、メモリ６３は、配管１０の表面１０ａにおける温度分布と、配管１０の内部を流れる流体の流速との関係を示す関係情報を予め（流速の計測よりも前に）記憶しておく。メモリ６３は記憶部の例に該当する。メモリ６３が記憶する関係情報では、流体の流速毎に、当該流速と温度分布とが対応付けられている。
そして、温度計測部３が配管１０の表面１０ａにおける温度分布を計測すると、ＣＰＵ６２は、関係情報を参照して、温度計測部３が計測した温度分布に最も近い（例えば、差の絶対値の合計が最も小さい）温度分布に対応付けられている流速を読み出して、流速の計測値とする。
【００２８】
このように、メモリ６３は、温度分布と流速とを対応付けた関係情報を予め記憶しておく。そして、加熱部２が、リングヒーター（リング状のヒーター）で所定箇所を加熱し、配管１０の温度分布が定常状態になった状態で、温度計測部３が、配管における温度分布を計測する。そして、制御ユニット４は、関係情報を参照して、計測で得られた温度分布に最も近い温度分布に対応付けられている流速を流速計測値とする。
【００２９】
次に、メモリ６３が予め記憶しておく関係情報の取得方法について説明する。
関係情報は、配管１０の温度定常状態における熱の伝わりを、有限要素法で解析して求めることができる。以下では、制御ユニット４が有限要素法の計算を行う場合を例に説明するが、他のコンピュータを用いて有限要素法の解析を行うようにしてもよい。
配管１０に有限要素法を適用するために、配管１０の領域をセル（部分領域）に分割する。
【００３０】
図４は、配管１０の領域のセルへの分割例を示す説明図である。
同図に示す領域Ａ１１は、管内の領域（流体が流れる領域）を示す。領域Ａ１２は、配管１０の領域（管壁の領域）を示す。領域Ａ１３は、配管１０の周りに巻かれた断熱材の領域を示す。領域Ａ１４は、断熱材の外側の空気の領域を示す。また、矢印Ｂ１１は、流体が配管１０内を流れる向きの例を示している。
【００３１】
有限要素法を適用するためのセル分割にて、図４に示すように、配管１０の管壁の領域Ａ１２を均等な厚みで３層に分割する。この３層と、流体の領域Ａ１１、断熱材の領域Ａ１３、及び、外部の空気の領域Ａ１４とで、配管１０の半径方向に６層に分割されている。
また、配管１０の軸方向（長手方向）に関しては、例えば３ｍｍ幅など比較的小さい幅で均等に分割する。
また、加熱部２としてリング状のヒーターを用い、図４に示すように、配管１０の長手方向における加熱部２の厚みを無視する。特に、加熱部２が、配管１０の管壁の領域Ａ１２のセルのうち１つのみに入熱するものとして近似する。また、加熱部２自体の容量の影響は無視する（容量が十分に小さいものとする）。
【００３２】
隣接する接点との熱移動は、管内面と管内の流体との対流熱伝達、管壁内（図４の領域Ａ１２内）での熱伝導、管壁から断熱材への熱伝導及び断熱材内での熱伝導、断熱材外表面と周囲空気との対流熱伝達による熱移動とする。また、加熱部２から十分離れた管端の部分のセルの外縁を断熱条件とする。
以下の熱バランスによる方程式（以下の式（１））をセル毎に設定しておき、制御ユニット４が、有限要素法を用いて解析することで、セル間の温度差を算出する。有限要素法の解法（連立方程式の解法）として、例えばNewton-Raphson法を用いることができる。但し、制御ユニット４が用いる解法は、Newton-Raphson法に限らず、連立方程式に適用可能ないろいろな解法を用いることができる。
【００３３】
ここで、定常状態では、隣接するセルからの入熱量の和が０になる。なお、熱量の放出は、入熱量マイナスとして表す。
座標（ｉ，ｊ）に位置するセルにおける熱バランスは、式（１）のように表される。
【００３４】
Ｑｉ，ｊ−１  ＋  Ｑｉ，ｊ＋１  ＋  Ｑｉ−１，ｊ  ＋  Ｑｉ＋１，ｊ  ＝  ０    ・・・  （１）
【００３５】
ここで、座標（ｉ，ｊ）に位置するセルに隣接するセルの座標を、（ｉ，ｊ−１）、（ｉ，ｊ＋１）、（ｉ−１，ｊ）、（ｉ＋１，ｊ）とする。また、Ｑｉ，ｊ−１、Ｑｉ，ｊ＋１、Ｑｉ−１，ｊ、Ｑｉ＋１，ｊは、それぞれ、添え字で示す座標に位置するセルからの入熱量を示す。なお、隣接するセルが無い場合は、当該セルからの入熱量を０とする。
上記のように、セル毎に熱バランスによる方程式（式（１））を設定する。当該方程式の設定は、例えば流速計測システム１００のユーザーが行って、制御ユニット４のメモリ６３に記憶させる。そして、制御ユニット４は、流速の設定値毎に有限要素法による解析を行って、温度分布と流速との関係を示す関係情報を取得する。
【００３６】
式（１）のＱｉ，ｊ−１、Ｑｉ，ｊ＋１、Ｑｉ−１，ｊ、Ｑｉ＋１，ｊには、例えば以下の式（２）〜式（４）のいずれかの右辺を適用する。
【００３７】
対流熱伝達：配管１０のセルのうち再内側のセルへの流体（配管１０内の流体）からの入熱量は、式（２）のように示される。
【００３８】
対流熱伝達による入熱量  ＝  α・Ａ・Δｔ    ・・・  （２）
【００３９】
ここで、α［Ｗ（ワット）／（ｍ２（平方メートル）・Ｋ（ケルビン））］は、対流熱伝達率を示す。
Ａ［ｍ２］は、伝熱面積を示す。ここでは、配管１０のセルが管内の流体に接する面積である。
Δｔ［Ｋ］は、隣接するセルとの温度差を示す。ここでは、配管１０と管内の流体との接触部分における温度差を示す。
【００４０】
半径方向熱伝導：配管１０内における配管１０の半径方向の熱伝導による入熱量は、式（３）のように示される。すなわち、管の半径方向に隣接する管のセル（管をメッシュに切ったセル）からの入熱量は、式（３）のように示される。
【００４１】
半径方向熱伝導による入熱量  ＝  ２π・λ・Ｌ・Δｔ／ｌｎ（ｒｏ／ｒｉ）  ・・・  （３）
【００４２】
ここで、πは、円周率を示す。
λ［Ｗ／（ｍ（メートル）・Ｋ）］は、配管１０の素材（例えば鋼鉄）の熱伝導率を示す。
Ｌ［ｍ］は、管軸方向（配管１０の軸方向）におけるセルの長さを示す。
Δｔ［Ｋ］は、上記のように、隣接するセルとの温度差を示す。ここでは、配管１０の半径方向に隣接する配管１０のセル同士の接触部分における温度差を示す。
ｌｎは、自然対数を示す。
ｒｏ／ｒｉ［ｍ］は、半径方向におけるセル間の距離（例えば、セルの中心間の距離）を示す。
【００４３】
管軸方向熱伝導：配管１０内における配管１０の軸方向（長手方向）の熱伝導による入熱量は式（４）のように示される。すなわち、管軸方向に隣接する配管１０のセルからの入熱量は式（４）のように示される。
【００４４】
管軸方向熱伝達による入熱量  ＝  λＡΔｔ／Ｌ    ・・・  （４）
【００４５】
ここで、λ、Ｌは、上記のとおりである。
Ａ［ｍ２］は、上記のように、伝熱面積を示す。ここでは、配管１０のセル同士（配管１０の半径方向に隣接する配管１０のセル）が接する面積である。
Δｔ［Ｋ］は、上記のように、隣接するセルとの温度差を示す。ここでは、管軸方向に隣接する配管１０のセル同士の接触部分における温度差を示す。
【００４６】
また、対流熱伝達に関して、以下の式（５）を用いる。
【００４７】
Ｎｕｄ  ＝  ０．０２２・ＸＷＴ・Ｒｅｄ０．８・Ｐｒ０．４    ・・・  （５）
【００４８】
ここで、Ｎｕｄは、ヌセルト数（Nusselt Number）を示す。
Ｒｅｄは、レイノルズ数（Reynolds Number）を示す。
Ｐｒは、プラントル数（Prandtl Number）を示す。
ＸＷＴは、温度を修正する係数であり、加熱部２（ヒーター）からの距離に応じた値を取る。特に、ＸＷＴは、加熱部２の近傍について温度を高くする（すなわち、熱伝達を大きくする）。以下では、ＸＷＴを熱伝達率修正係数と称する。
【００４９】
ヌセルト数Ｎｕｄは、式（６）のように示される。
【００５０】
Ｎｕｄ＝αｉ・ｄｉ／λ    ・・・  （６）
【００５１】
ここで、λは、上記のとおりである。
ｄｉ［ｍ］は、配管１０の内径を示す。
αｉ［Ｗ／（ｍ２・Ｋ）］は、配管１０の内部における熱伝導率を示す。
【００５２】
また、レイノルズ数Ｒｅｄは、式（７）のように示される。
【００５３】
Ｒｅｄ＝ｕ×ｄｉ／ν    ・・・  （７）
【００５４】
ここで、ｕ［ｍ／ｓ（秒）］は、配管１０内を流れる流体の流速を示す。
ν［ｍ２／ｓ］は、配管１０内を流れる流体の動粘性係数を示す。
ｄｉ［ｍ］は、配管１０の内径を示す。
【００５５】
また、プラントル数Ｐｒは、式（８）のように示される。
【００５６】
Ｐｒ＝ν×ρ×Ｃｐ／λ    ・・・  （８）
【００５７】
ν、λは、上記のとおりである。
ρ［ｋｇ（キログラム）／ｍ３（立方メートル）］は、流体の密度を示す。
Ｃｐ［ｋＪ（キロジュール）／（ｋｇ・Ｋ）］は、流体の比熱を示す。
【００５８】
図５は、熱伝達率修正係数の設定例を示すグラフである。同図の横軸は、配管１０内を流れる流体の流れ方向（配管１０の管軸方向）における所定の基準位置からの距離を示す。座標値が小さい側が、流体の流れの上流側を示し、座標値が大きい側が、流体の流れの下流側を示す。縦軸は、熱伝達率修正係数の値を示す。また座標値Ｘ１は、加熱部２のヒーターが設けられている位置の横軸座標値を示す。
同図に示すように、加熱部２のヒーターの設置位置（座標Ｘ１）の近傍で、熱伝達率修正係数ＸＷＴの値を１よりも大きくする。
【００５９】
熱伝達率修正係数ＸＷＴの値を大きくすることは、配管１０内を流れる流体と配管１０の管壁との熱伝達率を大きくすることに相当する。ここで、配管１０内に蒸気を流して温度分布および流速を実測し、温度分布の解析値（一般的な熱伝達の式を適用して有限要素法を用いた解析で得られた値）と実測値とを比較したところ、加熱部２のヒーター設置位置の近傍で、温度実測値が解析値よりも高くなった。特に、加熱部２のヒーター設置位置から上流側で、温度実測値が解析値よりも高くなった。そこで、熱伝達率修正係数ＸＷＴを導入して再計算を行ったところ、解析値と実測値とがよりよく一致した。
【００６０】
図５の例では、加熱部２のヒーターの設置位置から上流側１００ｍｍ以内の範囲で、熱伝達率修正係数ＸＷＴの値を１．７５に設定している。また、加熱部２のヒーターの設置位置から下流側１００ｍｍ以内の範囲でも、熱伝達率修正係数ＸＷＴの値を１よりも大きくしている。具体的には、加熱部２のヒーターの設置位置で熱伝達率修正係数ＸＷＴの値を１．２５に設定している。そして、下流側に行くにつれて熱伝達率修正係数ＸＷＴの値を一定の減少率で徐々に減少させ、加熱部２のヒーターの設置位置から上流側１００ｍｍの位置で、熱伝達率修正係数ＸＷＴの値を１にしている。
例えば、流速計測システム１００のユーザーが、配管１０に流速既知の流体を流して温度分布を測定し、得られた計測結果に基づいて熱伝達率修正係数ＸＷＴの値を設定するようにしてもよい。
【００６１】
式（５）のヌセルト数Ｎｕｄは、式（２）の対流熱伝達率αと比例し、ヌセルト数Ｎｕｄから対流熱伝達率αを求めることができる。式（５）のように熱伝達率修正係数ＸＷＴを導入してヌセルト数Ｎｕｄの値を高精度に求めることで、対流熱伝達率αの値を高精度に求めることができる。対流熱伝達率αの値を高精度に得られることで、有限要素法を用いての解析でセル間の温度差を高精度に求めることができ、これにより、配管１０における温度分布の解析値の精度を高めることができる。
【００６２】
また、対流熱伝達に関して、以下の式（９）も用いる。
【００６３】
Ｗ  ＝  ＹＨＴ・Ｇ・Ｃｐ・ΔＴ    ・・・  （９）
【００６４】
ここで、Ｃｐは、上記のとおりである。
Ｗ［Ｊ（ジュール）／ｓ］は、加熱部２による加熱量を示す。
Ｇ［ｋｇ／ｓ］は、配管１０を流れる流体の全流量を示す。
ΔＴ［℃（度）］は、加熱部２のヒーターの加熱による流体の上昇温度を示す。
ＹＨＴは、管断面を流れる流体の全量のうち、加熱部２のヒーターからの熱の伝達に寄与する流体の量（加熱部２のヒーターの加熱による熱を受けた流体の量）の割合を示す。具体的には、管断面における流体全体の面積をＳとし、管断面における流体のうちヒーターの加熱による熱を受けた部分の面積をＳ１として、ＹＨＴ＝Ｓ１／Ｓと表される。以下では、ＹＨＴを温度境界係数と称する。
【００６５】
上述したように、配管１０内に蒸気を流して温度分布および流速を実測し、温度分布の解析値（一般的な熱伝達の式を適用して有限要素法を用いた解析で得られた値）と実測値とを比較したところ、加熱部２のヒーター設置位置の近傍で、温度実測値が解析値よりも高くなった。上述した加熱部２のヒーター設置位置から上流側での温度のずれに加えて、加熱部２のヒーター設置位置から下流側でも、温度実測値が解析値よりも高くなった。この温度のずれの一因として、配管１０内を流れる流体のうち、ヒーターからの熱を伝達するのは配管１０の内面に近い一部のみであることが考えられる。そこで、温度境界係数ＹＨＴを導入して再計算をおこなったところ、解析値と実測値とがよりよく一致した。特に、熱伝達率修正係数ＸＷＴ、温度境界係数ＹＨＴの両方を導入することで、解析値と実測値とがよりよく一致した。
【００６６】
温度境界係数ＹＨＴの値を１より小さくすることは、ヒーターからの熱の伝達に寄与する流体の量を少なくすることに相当する。ヒーターからの熱の伝達に寄与する流体の量が少ないと、式（２）の温度差Δｔの値（配管１０と配管内の流体との接触部分における温度差）が大きく算出される。温度境界係数ＹＨＴを導入して式（２）の温度差Δｔの値を高精度に算出することで、配管１０における温度分布の解析値の精度を高めることができる。
【００６７】
図６は、温度境界係数ＹＨＴの設定例を示す説明図である。同図では、配管１０内を流れる流体が空気である場合と上記である場合との各々について、流速１０ｍ／ｓ、２０ｍ／ｓ、３０ｍ／ｓ、４０ｍ／ｓの各々の場合の温度境界係数ＹＨＴの設定値の例を示している。
上述した温度分布の実測により、図６に示すように流速が速いほど温度境界係数ＹＨＴの値を小さくすることで、温度分布の解析値を実測値に近づけることができた。また、図６に示すように、流体が空気である場合と蒸気である場合とで、温度境界係数ＹＨＴの値として同じ値を用いて、温度分布の解析値を実測値に近づけることができた。
【００６８】
図７は、温度境界係数の設定例を示すグラフである。同図の横軸は、配管１０内を流れる流体の流速を示す。縦軸は、温度境界係数の値を示す。
図７に示す温度境界係数ＹＨＴの値は、図６に示す温度境界係数ＹＨＴの値と同様である。具体的には、流速１０ｍ／ｓ〜約３１ｍ／ｓの範囲では、図６に示す温度境界係数ＹＨＴの値を直線補間した値となっている。また、約３１ｍ／ｓ以上の流速では、温度境界係数ＹＨＴの値は一定（０．１８５）となっている。
【００６９】
次に、図８〜図１０を参照して、熱伝達率修正係数ＸＷＴの値、及び、温度境界係数ＹＨＴの値の設定方法について説明する。
図８は、本実施形態に係る関係情報設定システムの概略構成を示す図である。図８に示す各部のうち、図１の各部に対応して同様の機能を有する部分には同一の符号（２、２ｂ、３、４、１０、２０、３０）を付して説明を省略する。
【００７０】
図８に示す関係情報設定システム１０１は、図１に示す流速計測システム１００の各部に加えて、流速計５を備えている。なお、関係情報設定システム１０１は、図１に示す流速計測システム１００の各部を有しており、流速計測システムとしても機能する。
流速計５は流速計測部の例に該当し、配管１０内を流れる流体の流速を計測する。流速計５を備えることで、関係情報設定システム１０１は、配管１０における温度分布と、配管１０内を流れる流体の流速とを計測する。これにより、関係情報設定システム１０１は、配管１０の表面１０ａにおける温度分布と、配管１０の内部を流れる流体の流速との実測値における対応関係を取得する。
また、関係情報設定システム１０１では、制御ユニット４は、流速計測システム１００での制御ユニット４の機能に加えて、上述した、配管１０の温度定常状態における熱の伝わりを有限要素法で解析する機能を有している。関係情報設定システム１０１の制御ユニット４は、流速計測システム１００での制御ユニット４の機能を有している点で、流速算出部の例に該当する。
【００７１】
ここで、配管１０内を流れる流体の様々な流速について温度分布及び流速を計測すれば、メモリ６３に記憶させる関係情報を取得することができる。しかしながら、関係情報を全て実測にて取得しようとすると計測回数が多くなり、関係情報設定システム１０１のユーザーにとって、関係情報設定システム１０１を設定する負担（例えば、流体の流速を調節する負担）が大きくなる。
そこで、制御ユニット４が、配管１０の温度定常状態における熱の伝わりを流体の流速毎に有限要素法で解析して関係情報を取得する。これにより、ユーザーが関係情報設定システム１０１を設定する負担を低減させることができる。制御ユニット４は、関係情報設定部の例に該当する。
【００７２】
制御ユニット４は、上述した式（１）〜式（９）に基づいて、配管１０の温度定常状態における熱の伝わりを解析する。その際、制御ユニット４は、熱伝達率修正係数ＸＷＴの値、及び、温度境界係数ＹＨＴの値を予め（関係情報を取得するための解析を行う前に）設定しておく。制御ユニット４は、温度境界係数値取得部の例に該当する。
制御ユニット４は、例えば、熱伝達率修正係数ＸＷＴの値と温度境界係数ＹＨＴの値との組み合わせを複数用意しておく。そして、制御ユニット４は、関係情報設定システム１０１が実測した流速（流速計５が計測した流速）について、熱伝達率修正係数ＸＷＴの値と温度境界係数ＹＨＴの値との組み合わせ毎に、有限要素法による解析を行って配管１０における温度分布を算出する。そして、制御ユニット４は、配管１０における温度分布の実測値に最も近い解析値を得られた、熱伝達率修正係数ＸＷＴの値と温度境界係数ＹＨＴの値との組み合わせを採用する。
【００７３】
図９は、熱伝達率修正係数ＸＷＴの値と温度境界係数ＹＨＴの値とを設定する前の、配管１０における温度分布の実測値及び解析値の例を示すグラフである。
同図の横軸は、配管１０内を流れる流体の流れ方向（配管１０の管軸方向）における所定の基準位置からの距離を示す。座標値が小さい側が、流体の流れの上流側を示し、座標値が大きい側が、流体の流れの下流側を示す。縦軸は、温度を示す。なお、加熱部２のヒーターの設置位置は、横軸の座標値０．５の位置である。
【００７４】
また、図９にプロットした点Ｐ１１の各々は、配管１０における温度分布の実測値（温度計測部３による実測値）の例を示す。線Ｌ１１は、制御ユニット４が算出する温度分布の解析値の例を示す。線Ｌ１２は、制御ユニット４が算出する流体温度の解析値の例を示す。
図９の例では、ヒーターの設置位置（横軸座標値０．５）の近傍で、配管１０の温度の解析値が実測値よりも高くなっている箇所がある。特に、領域Ａ２１で配管１０の温度の解析値が実測値よりも高くなっている。また、ヒーターの設置位置から下流側でも、配管１０の温度の解析値が実測値よりも高くなっている箇所がある。
そこで、制御ユニット４は、例えば図５に示す例のように熱伝達率修正係数ＸＷＴの値を設定する。熱伝達率修正係数ＸＷＴの値を１より大きく設定することで、配管１０の温度の解析値が低くなる。これは、配管１０が流体によって冷却されることに相当する。
また、図９の例では、領域Ａ２２において、配管１０の温度の解析値が実測値よりも低くなっている。そこで、制御ユニット４は、例えば図６及び図７に示す例のように温度境界係数ＹＨＴの値を設定する。これにより、配管１０を流れる流体の温度が高く算出されるようになり、配管１０の温度分布のうち当該流体から熱を受ける領域Ａ２２の部分の温度も高く算出されるようになる。
【００７５】
図１０は、熱伝達率修正係数ＸＷＴの値と温度境界係数ＹＨＴの値とを設定した後の、配管１０における温度分布の実測値及び解析値の例を示すグラフである。
図１０の横軸及び縦軸は、図９の場合と同様である。また、加熱部２のヒーターの設置位置も、図９の場合と同様、横軸の座標値０．５の位置である。
【００７６】
また、図１０にプロットした点Ｐ１１の各々は、図９の場合と同じ実測値を示している。一方、線Ｌ２１は、熱伝達率修正係数ＸＷＴの値と温度境界係数ＹＨＴの値とを設定した状態で制御ユニット４が算出する温度分布の解析値の例を示す。線Ｌ２１が示す解析値は、図９の線Ｌ１１が示す解析値と異なっている。線Ｌ１２は、図９の場合と同様、制御ユニット４が算出する流体温度の解析値の例を示す。
また、領域Ａ２１、Ａ２２は、それぞれ図９の領域Ａ１１、Ａ１２に対応する。
【００７７】
図１０の例では、図９の例よりも、配管１０の温度の解析値と実測値とがほぼ一致している。特に、領域Ａ２１、Ａ２２のいずれにおいても、配管１０の温度の解析値と実測値とがほぼ一致している。
このように、熱伝達率修正係数ＸＷＴおよび温度境界係数ＹＨＴを導入することで、制御ユニット４による配管１０の温度分布の解析精度が向上している。これにより、メモリ６３が記憶する関係情報の精度が向上する。関係情報の精度が向上することで、制御ユニット４が当該情報を参照して取得する流速計測値の精度が向上する。
【００７８】
なお、（関係情報設定部としての）制御ユニット４が、関係情報の設定に用いる流速は、流速計５による流速の実測値（流速計５が計測した流速）に限らない。例えば、制御ユニット４が、配管１０の温度定常状態における熱の伝わりを有限要素法で解析する際に設定した流速を、関係情報における流速として用いるようにしてもよい。あるいは、制御ユニット４が、温度計測部３が計測した温度分布から推定される流速を、関係情報における流速として用いるようにしてもよい。
この場合、制御ユニット４が、有限要素法による解析を行う際に温度境界係数を用いることで、温度分布の解析値を実測値に近づけることができる。これにより、（流速算出部としての）制御ユニット４が温度分布の実測値から流速を求める際に、温度分布の実測値と関係情報に示される温度分布との乖離が小さくなる。当該乖離が小さくなることで、制御ユニット４は、関係情報に示される温度分布のうち、実測値に対応する温度分布を精度よく選択することができ、選択した温度分布に対応する流速を取得できる。この点で、制御ユニット４は、流速を精度よく求めることができる。
【００７９】
以上のように、制御ユニット４（温度境界係数値取得部）は、配管１０を流れる流体のうち、加熱部２による熱の伝達に寄与する流体の量的割合を示す温度境界係数の値を取得する。例えば、制御ユニット４は、温度計測部３が計測した温度分布に基づいて温度境界係数の値を設定する。そして、制御ユニット４（関係情報設定部）は、設定した温度境界係数の値に基づいて関係情報を取得する。
これにより、関係情報設定システム１０１では、配管１０の温度分布と配管１０を流れる流体の流速との関係を示す関係情報を、温度境界係数を用いない場合よりも精度よく求めることができる。関係情報の精度が高いことで、制御ユニット４（流速算出部）が当該関係情報を用いて流体の流速を算出する際に、流速を精度よく求めることができる。
【００８０】
また、制御ユニット４（温度境界係数値取得部）は、配管１０を流れる流体の流速毎に温度境界係数の値を取得する。
これにより、制御ユニット４（関係情報設定部）は、流体の流速に応じた温度境界係数の値を用いることができ、関係情報をより高精度に求めることができる。
【００８１】
なお、制御ユニット４の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【００８２】
以上、本発明の一実施形態について説明したが、上記実施形態に限定されることはなく、発明の主旨を逸脱しない範囲において適宜変更可能である。例えば、上記実施形態では、配管１０において、加熱部２および温度計測部３（各温度センサー３ａ）が保温材１２で覆われた構成を例に挙げたが、これに限定されることは無い。例えば、制御ユニット４が配管１０の表面１０ａからの放熱を考慮して温度計測部３から送られる測定データ（温度分布）を補正する態様であれば、配管１０の表面１０ａを保温材１２で被覆しなくてもよい。あるいは、表面１０ａの一部（温度計測部３の設置部分）のみを保温材１２で被覆する構成であってもよい。
【００８３】
また、配管内を流れる流体は蒸気または空気に限らない。例えば、配管内を流れる熱水の流速を計測する場合にも本発明を適用可能である。また、配管内を流れる流体がフロン、アンモニア、ＬＮＧ（Liquefied Natural Gas）等であってもよく、これら流体の流速を計測する場合にも本発明は適用可能である。
【００８４】
また、上記実施形態では、配管１０と熱交換を行う熱交換器として加熱部２を例示したが、本発明はこれに限定されない。例えば、熱交換器としては、配管１０の表面１０ａを冷却する冷却器を用いてもよく、冷却することで配管１０の管軸方向に生じた温度分布に基づいて配管１０内を流れる蒸気の流速を計測しても良い。この場合において、蒸気が飽和蒸気あるいはそれに近い過熱蒸気の時は、凝縮が生じる可能性が有ることから熱伝達率算出の際はそれを考慮する必要がある。
【００８５】
また、流速計測システム１００（図１）、関係情報設定システム１０１（図８）のいずれにおいても、プレヒーター２ｂは必須の構成ではない。流速計測システム１００、及び、関係情報設定システム１０１いずれか又は両方の構成を、プレヒーター２ｂを備えていない構成としてもよい。
【符号の説明】
【００８６】
２…加熱部、２ｂ…プレヒーター、３…温度計測部、４…制御ユニット、５…流速計、１０…配管、１００…流速計測システム、１０１…関係情報設定システム。
【図１】
0006657689.tif 000002
【図２】
0006657689.tif 000003
【図３】
0006657689.tif 000004
【図４】
0006657689.tif 000005
【図５】
0006657689.tif 000006
【図６】
0006657689.tif 000007
【図７】
0006657689.tif 000008
【図８】
0006657689.tif 000009
【図９】
0006657689.tif 000010
【図１０】
0006657689.tif 000011